(57)【特許請求の範囲】
【請求項１】
印刷対象のジョブの第１の原稿データと第２の原稿データのうちの前記第1の原稿データの入力後に入力手段によって入力される前記第２の原稿データの前記入力手段による入力有無が判断手段によって判断された後に、前記第１の原稿データの印刷に必要な用紙を印刷手段へ供給する第１の給紙処理、
および、
前記第２の原稿データの前記入力手段による入力有無が前記判断手段によって判断されるのを待たずに前記第１の原稿データの印刷に必要な用紙を前記印刷手段へ供給する第２の給紙処理、
の何れかを給紙手段により実行させる制御手段を有し、
前記制御手段は、
前記印刷対象のジョブが、
前記印刷手段で印刷された複数枚の用紙を含んだ１束分のシートに対するフィニッシング処理をフィニッシング手段により要するジョブである場合に、
前記第１の給紙処理を前記給紙手段により実行させ、
前記制御手段は、
前記印刷対象のジョブが、
前記フィニッシング手段による前記１束分のシートに対するフィニッシング処理が不要なジョブである場合に、
前記第２の給紙処理を前記給紙手段により実行させる、
ことを特徴とする画像形成システム。
【請求項２】
請求項１記載の画像形成システムであって、
前記制御手段は、
前記印刷対象のジョブが、
前記印刷手段で印刷された複数枚の用紙を含んだ１束分のシートに対するステイプル処理またはシフトソート処理を要するジョブである場合に、
前記第１の給紙処理を前記給紙手段により実行させる、ことを特徴とする画像形成システム。
【請求項３】
印刷対象のジョブの第１の原稿データと第２の原稿データのうちの前記第１の原稿データの入力後に入力手段によって入力される前記第２の原稿データの前記入力手段による入力有無が判断手段によって判断された後に、前記第１の原稿データの印刷に必要な用紙を印刷手段へ供給する第１の給紙処理、
および、
前記第２の原稿データの前記入力手段による入力有無が前記判断手段によって判断されるのを待たずに前記第１の原稿データの印刷に必要な用紙を前記印刷手段へ供給する第２の給紙処理、
の何れかを給紙手段により実行させる制御手段を有し、
前記制御手段は、
前記印刷対象のジョブが、
前記印刷手段で印刷された用紙に対する裏表紙の挿入を要するジョブである場合に、
前記第１の給紙処理を前記給紙手段により実行させ、
前記制御手段は、
前記印刷対象のジョブが、
前記印刷手段で印刷された用紙に対する裏表紙の挿入が不要なジョブである場合に、
前記第２の給紙処理を前記給紙手段により実行させる、
ことを特徴とする画像形成システム。
【請求項４】
請求項１乃至３の何れかに記載の画像形成システムであって、
前記入力手段は、原稿を読み取る原稿読取手段からの原稿データを入力することを特徴とする画像形成システム。
【請求項５】
請求項１乃至４の何れかに記載の画像形成システムであって、
前記入力手段は、前記印刷手段を具備する画像形成装置とデータ通信可能な外部装置からの原稿データを入力することを特徴とする画像形成システム。
【請求項６】
印刷対象のジョブの第１の原稿データと第２の原稿データのうちの前記第１の原稿データの入力後に入力手段によって入力される前記第２の原稿データの前記入力手段による入力有無が判断手段によって判断された後に、前記第１の原稿データの印刷に必要な用紙を印刷手段へ供給する第１の給紙処理、
および、
前記第２の原稿データの前記入力手段による入力有無が前記判断手段によって判断されるのを待たずに前記第１の原稿データの印刷に必要な用紙を前記印刷手段へ供給する第２の給紙処理、
の何れかを給紙手段により実行させる画像形成システムの制御方法であって、
前記制御方法は、
前記印刷対象のジョブが、
前記印刷手段で印刷された複数枚の用紙を含んだ１束分のシートに対するフィニッシング処理をフィニッシング手段により要するジョブである場合に、
前記第１の給紙処理を前記給紙手段により実行させ、
前記制御方法は、
前記印刷対象のジョブが、
前記フィニッシング手段による前記１束分のシートに対するフィニッシング処理が不要なジョブである場合に、
前記第２の給紙処理を前記給紙手段により実行させる、
ことを特徴とする制御方法。
【請求項７】
請求項６記載の制御方法であって、
前記制御方法は、
前記印刷対象のジョブが、
前記印刷手段で印刷された複数枚の用紙を含んだ１束分のシートに対するステイプル処理またはシフトソート処理を要するジョブである場合に、
前記第１の給紙処理を前記給紙手段により実行させる、ことを特徴とする制御方法。
【請求項８】
印刷対象のジョブの第１の原稿データと第２の原稿データのうちの前記第１の原稿データの入力後に入力手段によって入力される前記第２の原稿データの前記入力手段による入力有無が判断手段によって判断された後に、前記第１の原稿データの印刷に必要な用紙を印刷手段へ供給する第１の給紙処理、
および、
前記第２の原稿データの前記入力手段による入力有無が前記判断手段によって判断されるのを待たずに前記第１の原稿データの印刷に必要な用紙を前記印刷手段へ供給する第２の給紙処理、
の何れかを給紙手段により実行させる画像形成システムの制御方法であって、
前記制御方法は、
前記印刷対象のジョブが、
前記印刷手段で印刷された用紙に対する裏表紙の挿入を要するジョブである場合に、
前記第１の給紙処理を前記給紙手段により実行させ、
前記制御方法は、
前記印刷対象のジョブが、
前記印刷手段で印刷された用紙に対する裏表紙の挿入が不要なジョブである場合に、
前記第２の給紙処理を前記給紙手段により実行させる、
ことを特徴とする制御方法。
【請求項９】
請求項６乃至８の何れかに記載の制御方法であって、
前記入力手段は、原稿を読み取る原稿読取手段からの原稿データを入力することを特徴とする制御方法。
【請求項１０】
請求項６乃至９の何れかに記載の制御方法であって、
前記入力手段は、前記印刷手段を具備する画像形成装置とデータ通信可能な外部装置からの原稿データを入力することを特徴とする制御方法。
【請求項１１】
請求項６乃至１０の何れかに記載の制御方法をコンピュータに実行させるプログラムを記憶したことを特徴とするコンピュータ読取可能な記憶媒体。
【発明の詳細な説明】
【０００１】
本発明は、画像形成システム、制御方法およびコンピュータ読取可能な記憶媒体に関する。
【０００２】
【従来の技術】
近年、例えばデジタル複写装置などの画像形成装置では、ＲＡＭの大容量化、またはＨＤＤなどの大容量記憶装置を備えることによって、電子ソート機能を実現している。そして、フィニッシャを接続することにより、シフトソート、ステイプルソートのようなフィニッシング機能を実現している。
【０００３】
このようなフィニッシング機能を有する画像形成装置では、フィニッシングの単位（部）で、ステイプル、シフト動作を行うために、画像形成後そのシートを即座に排紙トレイに排出するのではなく、一旦フィニッシャの処理トレイにシートを蓄積し、部を構成する最後のシートの排出時に、ステイプル、あるいはシフト動作を行い、そして処理トレイからシートを排出するように構成されている。この部の最後のシートか否かの判別に関しては、シートの給紙時に、これから給紙するシートが部の最後であるか否かを判別する。そして、これから給紙するシートがこの部の最後のシートである場合には、そのシートの排出時に、ステイプルソートであればステイプルを行い、ステイプルされた部をフィニッシャの処理トレイから吐き出すという処理が行われる。また、シフトソートの場合、フィニッシャの処理トレイにシフトされた部を吐き出すという処理が行われる。
【０００４】
このような方式を利用した画像形成装置としては、例えば特開平８−６３３０号公報に記載のものがある。
【０００５】
またデジタル複写装置などの画像形成装置においては、編集機能が充実してきているので、このような状況から、ユーザの手元にある通常の複写装置に対しても、専門業者が所有する大規模な印刷装置でのみ処理が可能である機能が要求されている。例えば、専門業者が所有する大規模な印刷装置でのみ処理が可能な機能としては、部の先頭、最後、あるいは途中で、厚紙、色紙などの特殊紙を挿入するなどの機能である。さらに、通常、画像形成装置に備えられているソートのモードとして、置数を２以上に設定した場合に、同一の記録紙を置数分出力するグループソート、同一の部を置数分出力するソートの２種類がある。これらのモードを実現するために、画像形成装置においては、この部の最後の紙か否かの判別を、シートの給紙時に行うように構成されている。
【０００６】
【発明が解決しようとする課題】
上述した従来の画像形成装置では、原稿有無の判断と同時に、次原稿有無の判断を行うことができないので、シートに印字するためには次原稿の有無が確定するまで給紙を行うことができないことになる。
【０００７】
しかしながら、実際には、部の終了が確定するまで給紙をしてはいけないモードは限られており、ステイプルソート、シフトソートのように部終了時に後処理が必要なモード、あるいは最終原稿に対して特殊な処理を行う場合（例えば、最終原稿に対するシートに特殊な用紙を使用する場合）に限られている。そのため、通常のモードでは、最善のパフォーマンスが得られないということになる。
【０００８】
本発明の目的は、フィニッシング処理が不要なジョブの印刷開始のタイミングを、フィニッシング処理を要するジョブの印刷開始のタイミングよりも早めることができる画像形成システム、制御方法およびコンピュータ読取可能な記憶媒体を提供することにある。また、本発明の目的は、裏表紙の挿入が不要なジョブの印刷開始のタイミングを、裏表紙の挿入を要するジョブの印刷開始のタイミングよりも早めることができる画像形成システム、制御方法およびコンピュータ読取可能な記憶媒体を提供することにある。
【０００９】
【課題を解決するための手段】
本発明は、印刷対象のジョブの第１の原稿データと第２の原稿データのうちの前記第1の原稿データの入力後に入力手段によって入力される前記第２の原稿データの前記入力手段による入力有無が判断手段によって判断された後に、前記第１の原稿データの印刷に必要な用紙を印刷手段へ供給する第１の給紙処理、および、前記第２の原稿データの前記入力手段による入力有無が前記判断手段によって判断されるのを待たずに前記第１の原稿データの印刷に必要な用紙を前記印刷手段へ供給する第２の給紙処理、の何れかを給紙手段により実行させる制御手段を有し、前記制御手段は、前記印刷対象のジョブが、前記印刷手段で印刷された複数枚の用紙を含んだ１束分のシートに対するフィニッシング処理をフィニッシング手段により要するジョブである場合に、前記第１の給紙処理を前記給紙手段により実行させ、前記制御手段は、前記印刷対象のジョブが、前記フィニッシング手段による前記１束分のシートに対するフィニッシング処理が不要なジョブである場合に、前記第２の給紙処理を前記給紙手段により実行させる、ことを特徴とする。
【００１０】
本発明は、印刷対象のジョブの第１の原稿データと第２の原稿データのうちの前記第１の原稿データの入力後に入力手段によって入力される前記第２の原稿データの前記入力手段による入力有無が判断手段によって判断された後に、前記第１の原稿データの印刷に必要な用紙を印刷手段へ供給する第１の給紙処理、および、前記第２の原稿データの前記入力手段による入力有無が前記判断手段によって判断されるのを待たずに前記第１の原稿データの印刷に必要な用紙を前記印刷手段へ供給する第２の給紙処理、の何れかを給紙手段により実行させる制御手段を有し、前記制御手段は、前記印刷対象のジョブが、前記印刷手段で印刷された用紙に対する裏表紙の挿入を要するジョブである場合に、前記第１の給紙処理を前記給紙手段により実行させ、前記制御手段は、前記印刷対象のジョブが、前記印刷手段で印刷された用紙に対する裏表紙の挿入が不要なジョブである場合に、前記第２の給紙処理を前記給紙手段により実行させる、ことを特徴とする。
【００１１】
本発明は、印刷対象のジョブの第１の原稿データと第２の原稿データのうちの前記第1の原稿データの入力後に入力手段によって入力される前記第２の原稿データの前記入力手段による入力有無が判断手段によって判断された後に、前記第１の原稿データの印刷に必要な用紙を印刷手段へ供給する第１の給紙処理、および、前記第２の原稿データの前記入力手段による入力有無が前記判断手段によって判断されるのを待たずに前記第１の原稿データの印刷に必要な用紙を前記印刷手段へ供給する第２の給紙処理、の何れかを給紙手段により実行させる画像形成システムの制御方法であって、前記制御方法は、前記印刷対象のジョブが、前記印刷手段で印刷された複数枚の用紙を含んだ１束分のシートに対するフィニッシング処理をフィニッシング手段により要するジョブである場合に、前記第１の給紙処理を前記給紙手段により実行させ、前記制御方法は、前記印刷対象のジョブが、前記フィニッシング手段による前記１束分のシートに対するフィニッシング処理が不要なジョブである場合に、前記第２の給紙処理を前記給紙手段により実行させる、ことを特徴とする。
【００１２】
本発明は、印刷対象のジョブの第１の原稿データと第２の原稿データのうちの前記第1の原稿データの入力後に入力手段によって入力される前記第２の原稿データの前記入力手段による入力有無が判断手段によって判断された後に、前記第１の原稿データの印刷に必要な用紙を印刷手段へ供給する第１の給紙処理、および、前記第２の原稿データの前記入力手段による入力有無が前記判断手段によって判断されるのを待たずに前記第１の原稿データの印刷に必要な用紙を前記印刷手段へ供給する第２の給紙処理、の何れかを給紙手段により実行させる画像形成システムの制御方法であって、前記制御方法は、前記印刷対象のジョブが、前記印刷手段で印刷された用紙に対する裏表紙の挿入を要するジョブである場合に、前記第１の給紙処理を前記給紙手段により実行させ、前記制御方法は、前記印刷対象のジョブが、前記印刷手段で印刷された用紙に対する裏表紙の挿入が不要なジョブである場合に、前記第２の給紙処理を前記給紙手段により実行させる、ことを特徴とする。
【００１３】
本発明は、上記制御方法をコンピュータに実行させるプログラムを記憶したことを特徴とする。
【００３０】
【発明の実施の形態】
以下、本発明の実施の形態について図面を参照しながら説明する。
【００３１】
図１は本発明の実施の一形態に係る画像入出力システムの全体構成を示すブロック図である。
【００３２】
画像入出力システム１００は、図１に示すように、原稿画像を光学的に読み取り、画像データに変換するリーダ装置２００と、シートを給紙し、このシート上に画像データを可視画像として印字して装置外に排紙するプリンタ装置３００と、リーダ装置２００およびプリンタ装置３００を制御するための制御装置１１０とを備える。
【００３３】
リーダ装置２００は、原稿用紙を給送するための原稿給紙ユニット２５０と、原稿を読取るためのスキャナユニット２１０とから構成される。
【００３４】
プリンタ装置３００は、複数種類のシートカセットを有する給紙ユニット３１０と、画像データをシートに転写し、定着させるためのマーキングユニット３２０と、印字されたシートを機外へ出力するための排紙ユニット３３０と、ステイプル処理、ソート処理などを行うフィニッシャユニット５００とから構成される。
【００３５】
制御装置１１０は、リーダ装置２００、プリンタ装置３００と電気的に接続され、さらにＬＡＮ（Local Area Network）４０００を介して、ホストコンピュータ（ＰＣ）４００１，４００２と接続されている。制御装置１１０は、リーダ装置２００を制御して原稿の画像データを読み込み、プリンタ装置３００を制御して画像データをシートに出力するコピー機能を提供する。また、リーダ装置２００から読み取った画像データをコードデータに変換し、ＬＡＮ４０００を介してホストコンピュータ４００１，４００２へ送信するスキャナ機能、ホストコンピュータ４００１，４００２からＬＡＮ４０００を介して受信したコードデータを画像データに変換し、プリンタ装置３００に出力するプリンタ機能を提供する。
【００３６】
制御装置１１０には、操作部１５０が接続されている。操作部１５０は、タッチパネル付液晶表示装置（ＬＣＤ）を有し、画像入出力システム１００を操作するためのユーザＩ／Ｆを提供する。この操作部１５０についての詳細は、後述する。
【００３７】
次に、上記リーダ装置２００およびプリンタ装置３００の構成について図２を参照しながら説明する。図２は図１の画像入出力システムにおけるリーダ装置およびプリンタ装置の構成を示す断面図である。
【００３８】
リーダ装置２００の原稿給紙ユニット（ＤＦユニット）２５０は、原稿を先頭順に１枚ずつプラテンガラス２１１上へ給送し、スキャナユニット２１０による原稿の読取り動作終了後、プラテンガラス２１１上の原稿を排出トレイ２１９に排出するものである。原稿給紙ユニット２５０においては、原稿の有無を検知するためのセンサ２３０が設けられている。スキャナユニット２１０においては、原稿がプラテンガラス２１１上に搬送されると、ランプ２１２を点灯し、そして光学ユニット２１３の移動を開始して原稿を露光走査する。このときの原稿からの反射光は、ミラー２１４，２１５，２１６およびレンズ２１７を介してＣＣＤイメージセンサ(以下、ＣＣＤという)２１８へ導かれる。このように走査された原稿の画像は、ＣＣＤ２１８によって読み取られる。ＣＣＤ２１８から出力される画像データは、所定の処理が施された後、制御装置１１０へ転送される。
【００３９】
プリンタ装置３００は、レーザ発光部３２２を駆動するレーザドライバ３２１を有し、このレーザドライバ３２１は、制御装置１１０から出力された画像データに応じたレーザ光をレーザ発光部３２２から発光させる。このレーザ光は感光ドラム３２３に照射され、感光ドラム３２３には、レーザ光に応じた潜像が形成される。この感光ドラム３２３の潜像は、現像器３２４から供給された現像剤により現像剤像として可視像化される。
【００４０】
また、上記レーザ光の照射開始と同期したタイミングで、カセット３１１、カセット３１２、カセット３１３、カセット３１４、手差し給紙段３１５のいずれかからシートが給紙され、このシートは搬送路３３１を介して転写部３２５へ向けて搬送される。この搬送されたシート上には、転写部３２５により、感光ドラム３２３上の現像剤像が転写される。現像剤像が転写されたシートは、搬送ベルト３２６によって、定着部３２７に搬送される。
【００４１】
定着部３２７においては、シート上の現像剤像が熱圧されてシート上に定着される。この定着３２７を通過したシートは、搬送路３３５、搬送路３３４を経て排出される。また、印字面を反転して排出する場合には、定着部３２７を通過したシートは、一旦搬送路２２６、搬送路３３８まで導かれた後に、そこから逆方向に搬送されて搬送路３３７、搬送路３３４を経て排出される。また、両面記録が設定されている場合、シートは、定着部３２７を通過した後に、フラッパ３２９によって、搬送路３３６から搬送路３３３へ導かれる。その後、シートは逆方向に搬送され、フラッパ３２９によって、搬送路３３８、再給紙搬送路３３２へ導かれる。再給紙搬送路３３２へ導かれたシートは、上述したタイミングで搬送路３３１を通って転写部３２５へ給紙される。
【００４２】
搬送路３３４を経て排出されたシートは、フィニッシャユニット５００内へ搬送される。フィニッシャユニット５００内に搬送されたシートは、まずバッファユニット５０１へ送られる。ここでは、場合に応じて搬送されてきたシートをバッファローラに巻きつけてバッファリングする。例えば、この下流で行われるステイプルなどの処理に時間が掛かる場合は、このバッファユニットを利用することによって本体から搬送されてくるシートの搬送速度を一定に保つことができ、スループットの向上を図ることが可能である。
【００４３】
バッファユニット５０１からのシートは、上流排出ローラ対５０２、下流排出ローラ対５０３により排紙トレイ５０７ａに排出される。ステイプルモードの場合、シートが上流排出ローラ対５０２で搬送され、そのシート後端がこれを抜けた直後、シートは、ローレットベルト５０４によって引き戻され、ステイプルトレイ５０５に排出される。
【００４４】
スティプルトレイ５０５上に所定の枚数分のシートが積載されると、ステイプルユニット５０６によってこのシート束に対してステイプル処理が行われ、この後にスティプルされたシート束が、下流排出ローラ対５０３により排出トレイ５０７ａに排出される。
【００４５】
本実施の形態では、２つの排出トレイ５０７ａ，５０７ｂが設けられ、これらは連動して不図示の駆動ユニットにより上下に移動させることが可能である。また、本図において、排出トレイ５０７ａはシートが排出される位置にあるが、これを上方向に移動して排出トレイ５０７ｂに排出させることも可能である。
【００４６】
次に、操作部１５０について図３を参照しながら説明する。図３は図１の画像入出力システムの操作部を示す図である。
【００４７】
操作部１５０は、図３に示すように、主なモード設定、状況表示を行うためのタッチパネル付ＬＣＤ６００と、複数のキーとを有する。複数のキーとしては、０〜９までの数値を入力するためのテンキー６０１、装置が部門管理されている場合に部門番号と暗礁モードを入力する際に使用されるＩＤキー６０２、設定されたモードをリセットするためのリセットキー６０３、各モードについての説明画面を表示するためのガイドキー６０４、ユーザモード画面に入るためのユーザーモードキー６０５、割り込みコピーを行うための割り込みキー６０６が設けられている。
【００４８】
また、コピー動作をスタートさせるためのスタートキー６０７、実行中のコピージョブを中止させるためのストップキー６０８が設けられている。また、ソフト電源スイッチ６０９が設けられ、このソフト電源スイッチ６０９を押下することによりＬＣＤ６００のバックライトが消え、装置は低電力状態に移行する。さらに、節電キー６１０が設けられ、この節電キー６１０を押下することによって、節電状態に入り、再度押下することで節電状態から復帰する。さらに、コピー、ボックスに移行させるためのファンクションキー６１１，６１２が設けられている。本図（図３）は、コピーの標準画面が表示された状態を示し、他のファンクションキー６１２を押下することでそれぞれの機能の標準画面が表示される。
【００４９】
さらに、ＬＣＤ６００のコントラストを調整するための調整キー６１４、カウンタ確認キー６１５が設けられている。カウンタ確認キー６１５を押下することによって、それまでに使用したコピー枚数の集計を表示するカウント画面がＬＣＤ６００上に表示される。さらに、ジョブの実行中、画像メモリへの画像蓄積中を示すＬＥＤ６１６、ジャム、ドアオープンなどの装置がエラー状態にあることを示すエラーＬＥＤ６１７、装置のメインスイッチがＯＮになっていることを示す電源ＬＥＤ６１８が設けられている。
【００５０】
次に、制御装置１１０の機能について図４を参照しながら説明する。図４は図１の画像入出力システムにおける制御装置の構成を示すブロック図である。
【００５１】
制御装置１１０は、図４に示すように、メインコントローラ１１１を備える。メインコントローラ１１１は、ＣＰＵ１１２と、バスコントローラ１１３と、各種Ｉ／Ｆコントローラ回路（図示せず）とから構成される。
【００５２】
ＣＰＵ１１２およびバスコントローラ１１３は、制御装置１１０全体の動作を制御するものであり、ＣＰＵ１１２はＲＯＭ１１４からＲＯＭＩ／Ｆ１１５を経由して読み込んだプログラムに基いて動作する。また、このプログラムには、ホストコンピュータ４００１，４００２から受信したＰＤＬ(ページ記述言語)コードデータを解釈し、ラスターイメージデータに伸張する動作が記述されている。すなわち、この動作はソフトウェアによって処理される。バスコントローラ１１３は、各Ｉ／Ｆから入出力されるデータ転送を制御するものであり、バス競合時の調停やＤＭＡデータ転送の制御を行う。
【００５３】
メインコントローラ１１１には、ＤＲＡＭ１１６がＤＲＡＭＩ／Ｆ１１７を介して接続されており、ＤＲＡＭ１１６は、ＣＰＵ１１２が動作するためのワークエリア、画像データを蓄積するためのエリアとして使用される。
【００５４】
また、メインコントローラ１１には、ネットワークコントローラ１２１がＩ／Ｆ１２３を介して接続されている。ネットワークコンローラ１２１は、イーサネットなどから構成され、コネクタ１２２を介して外部ネットワークと接続される。
【００５５】
また、メインコントローラ１１には、汎用高速バス１２５が接続され、汎用高速バス１２５には、拡張ボードを接続するための拡張コネクタ１２４とＩ／Ｏ制御部１２６とが接続される。汎用高速バスとしては、一般的に、ＰＣＩバスが用いられる。
【００５６】
Ｉ／Ｏ制御部１２６には、リーダ装置２００、プリンタ装置３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０，１４５に接続されている。また、Ｉ／Ｏ制御部１２６には、ＬＣＤコントローラ１３１と、リアルタイムクロックモジュール１３３と、Ｅ-ＩＤＥインタフェース１６１とが接続されている。
【００５７】
ＬＣＤコントローラ１３１には、パネルＩ／Ｆ１３２が接続され、パネルＩ／Ｆ１３２は、操作部１５０上のＬＣＤ６００に表示を行うためのＩ／Ｆと、ハードキーやタッチパネルキーの入力を行うためのキー入力Ｉ／Ｆ１３０とから構成される。操作部１５０のタッチパネルまたはハードキーにより入力された信号は、パネルＩ／Ｆ１３２を介してＣＰＵ１１２に送られ、ＣＰＵ１１２から送られてきた画像データは、パネルＩ／Ｆ１３２を介してＬＣＤ６００に送られる。
【００５８】
リアルタイムクロックモジュール１３３は、機器内で管理する日付と時刻を更新/保存するためのものであり、バックアップ用電池１３４によってバックアップされている。
【００５９】
Ｅ-ＩＤＥインタフェース１６１は、外部記憶装置を接続するためのものである。このＩ／Ｆを介してハードディスクやＣＤ-ＲＯＭドライブを接続し、プログラムや画像データを書き込みまた読み込むことができる。
【００６０】
また、メインコントローラ１１１には、スキャナバス１４１を介してスキャナＩ／Ｆ１４０が、プリンタバス１４６を介してプリンタＩ／Ｆ１４５がそれぞれ接続されている。スキャナＩ／Ｆ１４０は、コネクタ１４２を介してリーダ装置２００と接続され、リーダ装置２００から受け取った画像に対し、その後の過程における処理の内容に応じて、最適な２値化処理を施し、主走査／副走査の変倍処理を施すなどの機能を有するとともに、リーダ装置２００から送られたビデオ制御信号に基づき生成された制御信号を、スキャナバス１４１に出力する機能を有する。ここでは、コネクタ１４２は、同調歩同期シリアルＩ／Ｆ１４３とビデオＩ／Ｆ１４４とから構成される。また、スキャナバス１４１からＤＲＡＭ１１６へのデータ転送は、バスコントローラ１１３によって制御される。
【００６１】
プリンタＩ／Ｆ１４５は、コネクタ１４７を介してプリンタ装置３００と接続され、メインコントローラ１１１から出力された画像データにスムージング処理を施してプリンタ装置３００へ出力する機能を有するとともに、プリンタ装置３００から送られたビデオ制御信号に基づき生成された制御信号を、プリンタバス１４６に出力する機能を有する。また、ＤＲＡＭ１１６上に伸張されたラスターイメージデータのプリンタ装置３００への転送は、バスコントローラ１１３によって制御され、プリンタバス１４６、ビデオＩ／Ｆ１４９を経由して、プリンタ装置３００へＤＭＡ転送される。
【００６２】
次に、メインコントローラ１１１の構成について図５を参照しながら説明する。図５は図４のメインコントローラの構成を示すブロック図である。
【００６３】
メインコントローラ１１１は、図５に示すように、プロセッサコア（ＣＰＵコア）４０１を有する。プロセッサコア４０１は、６４ビットのプロセッサバス(scバス)を介して、システムバスブリッジ（ＳＢＢ）４０２に接続される。ＳＳＢ４０２は、４×４の６４ビットクロスバスイッチであり、プロセッサコア４０１の他に、キャッシュメモリを備えたＳＤＲＡＭやＲＯＭを制御するメモリコントローラ４０３と専用のローカルバス(MCバス)を介して接続されており、さらに、グラフィックバスであるＧバス４０４、ＩＯバスであるＢバス４０５と接続されている。すなわち、ＳＳＢ４０２は、全部で４つのバスに接続される。ＳＳＢ４０２は、これら４モジュール間を、可能な限り、同時並行接続を確保することができるように設計されている。
【００６４】
また、ＳＳＢ４０２には、データの圧縮伸張ユニット(codec)４１８がcodec Ｉ／Ｆを介して接続されている。
【００６５】
Ｇバス４０４は、Ｇバスアービタ（ＧＢＡ）４０６により協調制御されており、リーダ装置２００やプリンタ装置３００と接続するためのスキャナ／プリンタコントローラ（ＳＰＣ）４０８に接続される。また、Ｂバス４０５は、Ｂバスアービタ（ＢＢＡ）４０７により協調制御されており、ＳＰＣ４０８の他、パワーマネジメントユニット（ＰＭＵ）４０９、インタラプトコントローラ（ＩＣ）４１０、ＵＡＲＴを用いたシリアルインタフェースコントローラ（ＳＩＣ）４１１、ＵＳＢコントローラ４１２、IEEE1284を用いたパラレルインタフェースコントローラ（ＰＩＣ）４１３、イーサネットを用いたＬＡＮコントローラ（ＬＡＮＣ）４１４、ＬＣＤパネル、キー、汎用入出力コントローラ（ＰＣ）４１５、ＰＣＩバスインタフェース(ＰＣＩＣ)４１６にも接続されている。ＰＣ４１５には、上述したように、操作部１５０が接続されることになる。
【００６６】
上記インタラプトコントローラ（ＩＣ）４１０は、Ｂバス４０５に接続され、メインコントローラチップ内の各機能ブロックおよびチップ外部からのインタラプトを集積し、プロセッサコア４０１がサポートする、６レベルの外部インタラプトおよびノンマスカブルインタラプト（ＮＭＩ）に再分配する。ここで、各機能ブロックとは、パワーマネジメントユニット４０９、シリアルインタフェースコントローラ４１１、ＵＳＢコントローラ４１２、パラレルインタフェースコントローラ４１３、イーサネットコントローラ４１４、汎用ＩＯコントローラ４１５、ＰＣＩインタフェースコントローラ４１６、スキャナ／プリンタコントローラ４０８などである。
【００６７】
メモリコントローラ４０３は、メモリコントローラ専用のローカルバスであるＭＣバスに接続され、シンクロナスＤＲＡＭ（ＳＤＲＡＭ）やフラッシュＲＯＭやＲＯＭを制御する。
【００６８】
次に、システムバスブリッジ（ＳＢＢ）４０２の詳細について図６を参照しながら説明する。図６は図５のシステムバスブリッジの詳細構成を示すブロック図である。
【００６９】
ＳＢＢ４０２は、Ｂバス(入出力バス)４０５、Ｇバス(グラフィックバス)４０４、SCバス(プロセッサバス)およびMCバス間の相互接続を、クロスバスイッチを用いて提供するマルチチャネル双方向バスブリッジである。クロスバススイッチにより、２系統の接続を同時に確立することができ、並列性の高い高速データ転送を実現することが可能である。
【００７０】
ＳＢＢ４０２は、図６に示すように、Ｂバス４０５と接続するためのＢバスインタフェース２００９と、Ｇバス４０４と接続するためのGバスインタフェース２００６と、プロセッサコア４０１と接続するためのＣＰＵインタフェーススレーブポート２００２と、メモリコントローラ４０３と接続するためのメモリインタフェースマスターポート２００１と、圧縮伸張ユニット４１８と接続するためのCODECバスインタフェース２０１４とを有する。また、ＳＢＢ４０２は、アドレスバスを接続するアドレススイッチ２００３、データバスを接続するデータスイッチ２００４、およびプロセッサコアのキャッシュメモリを無効化するキャッシュ無効化ユニット２００５を備える。
【００７１】
ＰＣＩバスインタフェース４１６は、メインコントローラ内部汎用ＩＯバスであるＢバスと、チップ外部ＩＯバスであるＰＣＩバスの間のインタフェースである。
【００７２】
次に、Ｇバスアービタ４０６、Ｂバスアービタ４０７について説明すると、Ｇバス４０４のアービトレーションは、中央アービトレーション方式であり、各バスマスタに対して専用のリクエスト信号とグラント信号とを有する。このアービタにおける制御方法は、プログラミングすることが可能である。また、バスマスタへの優先権の与え方として、全てのバスマスタを同じ優先権として、公平にバス権を与える公平アービトレーションモードと、いずれかひとつのバスマスタの優先権を上げ、優先的にバスを使用させる優先アービトレーションモードとのいずれかを指定することができる。
【００７３】
Ｂバスアービタ４０７は、ＩＯ汎用バスであるＢバス４０５のバス使用要求を受け付け、調停の後、使用許可を選択された一つのマスタに対して与え、同時に２つ以上のマスタがバスアクセスを行うことを禁止する。アービトレーション方式は、３段階のプライオリティを持ち、それぞれのプライオリティに複数のマスタをプログラマブルに割り当てられるように構成している。
【００７４】
次に、スキャナ・プリンタコントローラ（ＳＰＣ）４０８の詳細について図７を参照しながら説明する。図７は図５のスキャナ・プリンタコントローラの詳細構成を示すブロック図である。
【００７５】
スキャナ・プリンタコントローラ（ＳＰＣ）４０８は、スキャナバス１４１、プリンタバス１４６を介してリーダ装置２００、プリンタ装置３００と接続され、内部のＧバス４０４およびＢバス４０５とのインタフェースを司る。
【００７６】
具体的には、図７に示すように、スキャナ・プリンタコントローラ（ＳＰＣ）４０８は、２つのＧバス／ＢバスＩ／Ｆユニット（ＧＢＩ）４３０１ａ，４３０１ｂと、スキャナコントローラ４３０２と、プリンタコントローラ４３０３とを有する。
【００７７】
スキャナコントローラ４３０２は、リーダ装置２００とスキャナバス１４１を介して接続され、動作制御およびデータ転送制御を行う。また、スキャナコントローラ４３０２は、Ｇバス／ＢバスＩ／Ｆユニット（ＧＢＩ）４３０１ａとＩＦバスで接続され、両者の間でデータ転送およびレジスタのリード／ライトが行われる。Ｇバス／ＢバスＩ／Ｆユニット（ＧＢＩ）４３０１ａは、Ｇバス４０４とＢバス４０５の両方に接続されている。
【００７８】
プリンタコントローラ４３０３は、プリンタ装置３００とプリンタバス１４６を介して接続され、動作制御およびデータ転送制御を行う。また、プリンタコントローラ４３０３は、Ｇバス／ＢバスＩ／Ｆユニット（ＧＢＩ）４３０１ｂとＩＦバスで接続され、両者の間でデータ転送およびレジスタのリード／ライトが行われる。Ｇバス／ＢバスＩ／Ｆユニット（ＧＢＩ）４３０１ｂは、Ｇバス４０４とＢバス４０５の両方に接続されている。
【００７９】
また、スキャナコントローラ４３０２とプリンタコントローラ４３０３とは、ＣＰバスを介して接続されている。このＣＰバスは、リーダ装置２００とプリンタ装置３００に対する、画像データおよび水平垂直同期のための同期信号を直結するためのバスである。
【００８０】
次に、パワーマネジメントユニット４０９について説明する。メインコントローラ１１１は、ＣＰＵを内蔵した大規模なＡＳＩＣからなる。このため、内部のロジックが全部同時に動作すると、大量の熱を発生し、チップ自体が破壊される恐れがある。これを防ぐために、メインコントローラ１１１は、ブロック毎の電力の管理、すなわちパワーマネジメントを行い、さらにチップ全体の消費電力量の監視を行う。パワーマネージメントは、それぞれのブロックが各自個別に行い、各ブロックの消費電力量の情報は、パワーマネジメントレベルとして、パワーマネジメントユニット（ＰＭＵ）４０９に集められる。このＰＭＵ４０９では、各ブロックの消費電力量を合計し、その値が限界消費電力を超えないように、メインコントローラ１１１の各ブロックの消費電力量を一括して監視する。
【００８１】
次に、片面画像形成および両面画像形成における給紙制御について説明する。まず、片面画像形成および両面画像形成における記録紙の搬送経路について図８および図９を参照しながら説明する。図８（ａ）は図１の画像入力システムのプリンタ装置３００におけるシートの搬送経路を模式的に示す図、（ｂ）は表面排紙モードによる片面画像形成のシートの搬送経路を模式的に示す図、（ｃ）は背面排紙モードによる片面画像形成のシートの搬送経路を模式的に示す図である。図９は両面画像形成のシートを搬送する搬送経路を模式的に示す図である。ここでは、手差し給紙段３１５から給紙した場合に限定して説明する。
【００８２】
プリンタ装置３００においては、図８（ａ）に示すように、シート搬送経路が、手差し給紙段３１５または各カセット３１１〜３１４から感光ドラム３２３と転写部３２５との間に至る搬送路３３１と、感光ドラム３２３上のトナー像が転写されたシートを定着部（図示せず）を経て外部（フィニッシャユニット）に向けて搬送するための搬送路３３５と、感光ドラム３２３上の現像剤像が転写されたシートを定着部（図示せず）を経て搬送路３３８または搬送路３３３に導くための搬送路３３６と、搬送路３３８に導かれた記録紙を外部へ排出するための搬送路３３７と、搬送路３３３へ導かれた用紙を搬送路３３１へ導いて感光ドラム３２３と転写部３２５との間に再給紙を行うための再給紙搬送路３３２とから構成される。
【００８３】
片面画像形性の場合、図８（ｂ）に示すように、まず、手差し給紙段３１５から給紙されたシートＳが、搬送路３３１を経て感光ドラム３２３と転写部３２５の間に搬送される。そして、このシートＳは、その表面に感光ドラム３２３上の現像剤像が転写された後に、定着部に送られ、現像剤像が定着部によりシートＳ上に定着される。画像が定着されたシートＳは、搬送路３３５を経て外部（フィニッシャユニット）に排紙される。また、背面排紙を行う場合には、図８（ｃ）に示すように、定着後のシートＳは、搬送路３３６を経て一旦搬送路３３８に導かれた後に、搬送路３３７を介して排紙される。これにより、シートＳは外部へ背面排紙される。なお、図中、シートＳにおいて△印が付された面は、画像形成面を示す。
【００８４】
両面画像形成の場合、図９（ａ）に示すように、手差し給紙段３１５から給紙されたシートＳが搬送路３３１を経て感光ドラム３２３と転写部３２５の間に搬送され、このシートＳの表面に感光ドラム３２３上の現像剤像が転写された後に、定着部に送られる。定着部により画像が定着されたシートＳは、搬送路３３６を経て搬送路３３３へ一旦導かれた後に、再給紙搬送路３３２へ導かれる。ここで、複数枚のシートに両面画像形成を行う場合には、所定枚数分のシートＳが順に給紙される。所定枚数分のシートＳが給紙されると、図９（ｂ）に示すように、再給紙搬送路３２３上のシートは搬送路３３１を経て感光ドラム３２３に再給紙される。そして、再給紙されたシートの裏面にトナー像が転写され、この両面に画像が形成されたシートは定着部を経て外部に排紙される。次いで、再給紙搬送路３２３上の次のシートＳが再給紙される。なお、図中、シートＳにおいて△印が付された面は、最初に画像が形成された面を示し、ほぼ半円形状の印が付された面は、再給紙により画像形成された面を示す。
【００８５】
上記図８および図９を用いて説明した給紙動作は制御装置１１０によって、制御される。
【００８６】
次に、本画像入出力システムにおける給紙スケジューリングについて図１０ないし図１２を参照しながら説明する。図１０は図１の画像入出力システムの制御装置に保持される原稿のデータ構造を示す図、図１１は図１の画像入出力システムの制御装置に保持されるシートのデータ構造を示す図、図１２は図１の画像入出力システムの制御装置による給紙スケジューリングを管理するデータ構造を示す図である。
【００８７】
給紙スケジューリングを管理するデータ構造では、図１２（ａ），（ｂ），（ｃ）に示すように、次原稿待ち１００２、両面裏面原稿待ち１１００、給紙スケジューリング１１０１のデータが存在し、次原稿待ち１００２に対しては、図９に示す原稿９００を管理し、両面裏面原稿待ち１１００と給紙スケジューリング１１０１では、図１０に示す紙１０００がリスト上にぶら下がっている。ただし、両面裏面原稿待ち１１００には、紙１０００が最大でも１つしか存在しないことが決められているので、両面裏面原稿待ち１１００に限ってはリスト構造である必要はない。同様に、次原稿待ち１００２に対しても原稿９００は１つしか存在しないことが決められているので、次原稿待ち１００２に限ってはリスト構造である必要はない。次原稿待ち１００２は、最終原稿が定まらなくては給紙を行うことができないモード、すなわちフィニッシングなどの後処理が必要であるテイプル、シフトソート、または最終原稿に対する記録紙のみ特定の給紙段から給紙を行う場合にのみ使用される。両面裏面原稿待ち１１００は、紙１０００が両面印字を行う場合、片方の原稿しか決まらずに、次の原稿を待つための状態の紙を示すデータである。
【００８８】
また、給紙スケジューリング１１０１は、図８および図９に示したような紙の給排紙処理を、実際に行うことが決定した紙１０００を示す。つまり、給紙スケジューリング１１０１に追加された紙に対して、片面印字、両面印字を変更することはできない。
【００８９】
次に、給紙制御について図１３ないし図１５を参照しながら説明する。図１３ないし図１５は図１の画像入出力システムにおける給紙制御の手順を示すフローチャートである。
【００９０】
給紙制御では、図１３に示すように、リーダ装置２００で読み込まれた原稿、またはＰＤＬやファクシミリ受信したデータ（このデータは、リーダ装置２００では読み込まれる原稿に代わる原稿とする）、いずれに対しても、原稿があることが確定するまでは、待ち状態にある。
【００９１】
ここで、例えば原稿給紙ユニット２５０のセンサ２３０の出力に基づき原稿があることが確定されると、まず制御装置１１０がリーダ装置２００に対して、フィーダ上の原稿を給紙させるために、原稿給紙実行要求を発行する。この原稿給紙実行要求を受けたリーダ装置２００は原稿を給紙し、この給紙時点で、原稿給紙終了ステータス通知を制御装置１１０に対して発行する。この原稿給紙終了ステータス通知には、次原稿の有無を通知する引数が存在し、リーダ装置２００はセンサ２３０上に紙が存在していれば、次原稿ありの通知をし、紙が存在しなければ、次原稿なしを通知する。
【００９２】
すなわち、このフィニッシング動作をさせない場合には、プリンタ装置３００側は、原稿給紙実行要求時に、既に給紙可能な状態にあるが、フィニッシング動作をさせる場合には、原稿給紙終了ステータスを待ってから、給紙を行うことになる。
【００９３】
また、ＰＤＬにおいては、ページの区切りを示すコマンドが言語毎に定義されている。例えばＰｏｓｔＳｃｒｉｐｔでは、「ＳｈｏｗＰａｇｅ」、ＰＣＬ、ＬＩＰＳでは、「ＦｏｒｍＦｅｅｄ」というコマンドが定義されている。これらのコマンドが通知された場合に、はじめて１ページの区切りを判別することが可能になる。よって、基本的には、プリンタ装置３００側の１ページ目の給紙は、フィニッシング動作をさせない場合には、プリンタ装置側３００が１ページ目のＳｈｏｗＰａｇｅを検知した時点で給紙可能になるが、フィニッシング動作をさせる場合には、２ページ目のＳｈｏｗＰａｇｅが存在するかまたはジョブが終了しているかが確定してから、給紙を行うことになる。実際には、１ページのレンダリングが完了してこのページがＨＤＤなどに格納された後に、給紙が行われることになる。
【００９４】
また、ファクシミリ受信データの場合も、同様に、フィニッシング動作をさせない場合には、１ページを判別した時点で給紙可能な状態になり、フィニッシング動作をさせる場合には、次ページの確定を待ってから、給紙を行うことになる。
【００９５】
具体的には、上記原稿があることが確定することを待つ状態において、原稿があることが確定すると、ステップＳ１３０１において、現在の給紙モードが、最終原稿が定まらないと給紙を行うことができないモード、すなわちフィニッシングなどの後処理が生じるステイプル、シフトソート、または最終原稿に対する記録紙のみを特定の給紙段から給紙を行う場合か否かを判別する。最終原稿が確定していなくとも給紙を行うことができるモードの場合には、ステップＳ１３０４に進む。
【００９６】
ステップＳ１３０４では、次原稿が存在するか否かを判別する。次原稿が存在する場合には、ステップＳ１３０５に進み、両面裏面原稿待ちの紙（シート）、すなわち両面の裏面に対して未確定なシートが存在するか否かを判定する。ここで、両面裏面原稿待ちの紙が存在するならば、今回の原稿はその両面裏面原稿待ちの紙の裏面となる。そして、両面裏面原稿待ちの紙が存在しないならば、ステップＳ１３０６に進む。
【００９７】
ステップＳ１３０６では、今回確定した原稿が両面印字を行う場合のものであるか否かを判定する。ここで、今回確定した原稿が両面印字を行う場合のものでないときには、ステップＳ１３１０に進み、今回の原稿に対する紙を片面印字の紙として給紙スケジューリングに登録し、給紙を行う。そして、本処理を終了し、次の原稿が確定されるまで待つ。
【００９８】
これに対し、今回確定した原稿が両面印字を行う場合のものであるときには、ステップＳ１３１１に進み、今回の原稿を両面裏面原稿待ちの紙に登録し、本処理を終了する。そして、次の原稿確定待ちまで待つ。
【００９９】
上記ステップＳ１３０５において両面裏面原稿待ちの紙が存在すると判定されたときには、次原稿が存在し、両面裏面原稿待ちの紙が存在することが確定しているので、ステップＳ１３０７に進み、今回の原稿を両面裏面原稿待ちの裏面に登録し、続くステップＳ１３１２で、その両面裏面原稿待ちの紙を給紙スケジューリングに登録し、給紙を行う。そして、本処理を終了し、次の原稿が確定されるまで待つ。
【０１００】
上記ステップＳ１３０４において次原稿が存在しないと判定されると、これ以上原稿が存在しないことが確定しているので、ステップＳ１３０３に進み、両面裏面原稿待ちの紙が存在するか否かを判定する。両面裏面原稿待ちの紙が存在する場合には、その裏面に対応する原稿が存在しないことになるので、ステップＳ１３０９に進み、裏面を白紙として、給紙スケジューリングにその紙を登録し、給紙を行う。そして、本処理を終了し、次の原稿が確定されるまで待つ。
【０１０１】
上記ステップＳ１３０３において両面裏面原稿待ちの紙が存在しないと判定されると、両面裏面原稿待ちの紙も存在しないので、ステップＳ１３０８に進み、何もせずに本処理を終了する。そして、次の原稿が確定されるまで待つ。
【０１０２】
上記ステップＳ１３０１において現在の給紙モードが最終原稿が確定しないと給紙することができないモードであると判定されたときには、図１４に示すステップＳ１３５１に進む。ステップＳ１３５１では、次原稿が存在するかを判定し、次原稿が存在するときには、ステップＳ１３５６に進み、次原稿待ちに原稿（図１２を参照）が存在するか否かを判定する。この次原稿待ちに原稿が存在しない場合というのは、１ページ目の原稿のときである。次原稿待ちに原稿が存在しない場合には、ステップＳ１３６３に進み、今回の原稿をその次原稿待ちに登録し、本処理を終了する。そして、次の原稿確定待ちまで待つ。
【０１０３】
上記ステップＳ１３５６において次原稿待ちに原稿が存在すると判定されたときには、ステップＳ１３５５に進み、両面裏面原稿待ちの紙が存在するか否かを判定する。ここで、両面裏面原稿待ちの紙が存在する場合には、ステップＳ１３６０に進み、次原稿待ちの原稿を両面裏面原稿待ちの紙に登録し、ステップＳ１３６２に進む。ステップＳ１３６２では、両面裏面原稿待ちの紙の両面が確定したので、両面裏面原稿待ちの紙を給紙スケジューリングに登録し、給紙を行う。続いて、ステップＳ１３６３に進み、今回の原稿をその次原稿待ちに登録し、本処理を終了する。そして、次の原稿確定待ちまで待つ。
【０１０４】
上記ステップＳ１３５５において両面裏面原稿待ちの紙が存在しないと判定されたときには、ステップＳ１３５４に進み、次原稿待ちに登録されている原稿が両面印字を行うものか否かを判定する。この原稿が両面印字を行うものであるときには、ステップＳ１３５９に進み、次原稿待ちの原稿を両面裏面原稿待ちの紙として登録し、そして、ステップＳ１３６３において、今回の原稿をその次原稿待ちに登録し、本処理を終了する。そして、次の原稿確定待ちまで待つ。これに対し、次原稿待ちに登録されている原稿が両面印字を行うものでないときには、ステップＳ１３５８に進み、この次原稿待ちの原稿を片面の紙として給紙スケジューリングに登録し、ステップＳ１３６３において、今回の原稿をその次原稿待ちに登録し、本処理を終了する。そして、次の原稿確定待ちまで待つ。
【０１０５】
上記ステップＳ１３５１において次原稿が存在しないと判定されたときには、図１５に示すステップＳ１３５２に進み、次原稿待ちに原稿が存在するか否かを判定する。次原稿待ちに原稿が存在しない場合には、原稿が１ページも存在しないということが確定するので、ステップＳ１３６４に進み、なにもせずに終了する。この動作は本来イレギュラーなものである。そして、本処理を終了し、次の原稿確定待ちまで待つ。
【０１０６】
上記ステップＳ１３５２において次原稿待ちに原稿が存在すると判定されたときには、ステップＳ１３５３に進み、次原稿待ちに原稿が存在し、次原稿が存在しない、すなわちこれ以上原稿が存在しないことが確定しているため、次原稿待ちに存在する原稿が最終原稿であることを確定する。そして、ステップＳ１３５７に進み、両面裏面原稿待ちの紙が存在するか否かを判定する。両面裏面原稿待ちの紙が存在する場合には、ステップＳ１３６１に進み、次原稿待ちの原稿を両面裏面原稿待ちの紙に登録し、続くステップＳ１３６５で、上記ステップＳ１３６１で両面裏面原稿待ちの両面の原稿が確定したことから、その紙を最終紙として給紙スケジューリングを開始し、給紙を行う。そして、本処理を終了し、次の原稿確定待ちまで待つ。
【０１０７】
上記ステップＳ１３５７において両面裏面原稿待ちの紙が存在しないと判定されたときには、ステップＳ１３６６に進み、両面裏面原稿待ちの紙が存在しないことから次原稿待ちの原稿を片面の紙としかつその紙を最終紙として、給紙スケジューリングに登録し、給紙を行う。そして、本処理を終了し、次の原稿確定待ちまで待つ。
【０１０８】
次に、図１６ないし図２９を用いて実際の動作を図１３および図１４のフローチャートと重ね合わせて説明する。図１６および図１７は最終原稿が未確定でも給紙することができるモードにおいて両面印字を行う原稿が１ページの場合の説明図、図１８ないし図２０は最終原稿が未確定でも給紙することができるモードにおいて両面印字を行う原稿が２ページの場合の説明図、図２１は最終原稿が未確定でも給紙することができるモードにおいて片面印字を行う原稿が１ページの場合の説明図、図２２および図２３は最終原稿が確定しないと給紙することができないモードにおいて片面印字両面印字に拘らず原稿が１ページの場合の説明図、図２４ないし図２６は最終原稿が確定しないと給紙することができないモードにおいて両面印字をする原稿が２ページの場合の説明図、図２７ないし図２９は最終原稿が確定しないと給紙することができないモードにおいて両面印字をする原稿が３ページの場合の説明図である。
【０１０９】
まず、最終原稿が未確定でも給紙可能なモードにおいて両面印字を行う原稿が１ページの場合について図１６および図１７を参照しながら説明する。
【０１１０】
原稿確定待ち後、最終原稿が確定しないと給紙することができないモードか否かの判定が行われる（ステップＳ１３０１）。ここで、最終原稿が確定しなくても給紙することができるモードであるときには、次原稿（今回の原稿つまり１ページ目）が存在することから、両面裏面原稿待ちの紙が存在するか否かをチェックする（ステップＳ１３０３）が、まだ原稿１ページ目、すなわち最初のチェックであるため、まだ両面裏面原稿待ちに紙は存在しない。そのため、今回確定した原稿が両面印字を行うものであるか否かの判定が行われる（ステップＳ１３０５）。ここでは、両面印字を行う予定であるため、今回の原稿を両面裏面が両面裏面原稿待ちの紙に登録し（ステップＳ１３１１）、次の原稿確定待ちまで待つ。その状態は、図１６の１２０１で表されることになる。
【０１１１】
このようにして、原稿が１ページであるために次原稿が存在しないことが確定されると、原稿確定待ち後、最終原稿が確定しないと給紙することができないモードであるか否かの判定が行われる（ステップＳ１３０１）。ここでは、最終原稿が確定していなくても給紙することができるモードであり、次原稿が存在せず（ステップＳ１３０４）、両面裏面原稿待ちの紙１２０１が存在するので（ステップＳ１３０３）、両面裏面原稿待ちの紙を片面印字として給紙スケジューリングに登録し、給紙を行う（ステップＳ１３０９）。この状態は、図１７の１２０２で表される。
【０１１２】
次に、最終原稿が未確定でも給紙することができるモードにおける両面印字を行う原稿が２ページの場合について図１８ないし図２０を参照しながら説明する。
【０１１３】
最終原稿が未確定でも給紙することができるモードにおいて両面印字を行う原稿が１ページの場合、１ページ目の原稿が確定された状態は、図１８に示すような状態になる。これは、図１６に示すと同様の状態であるので、説明は省略する。
【０１１４】
原稿２ページ目の確定を行う場合、原稿確定待ち後、まず、最終原稿が確定しないと給紙することができないモードであるか否かのチェックが行われる（ステップＳ１３０１）。ここでは、最終原稿が確定しなくても給紙することができるモードであり、次原稿（今回の原稿つまり２ページ目）が存在し（ステップＳ１３０４）、両面裏面原稿待ちの紙１４０１が存在するので（ステップＳ１３０５）、今回確定した原稿２ページ目を両面裏面原稿待ちの紙１４０１に登録し、図１９に示す状態に遷移する（ステップＳ１３０７）。ここでは、２ページ目の原稿が両面裏面原稿待ちの紙に登録された状態を紙１４０２に表している。そして、両面裏面原稿待ちの紙の両面の原稿が確定したため、両面裏面原稿待ちの紙１４０２を給紙スケジューリングに遷移させる（ステップＳ１３１２）。これにより、図２０に示す状態になる。この状態においては、紙１４０３が給紙スケジューリング１１０１に登録されている。
【０１１５】
次に、原稿が２ページであるため、次原稿（３ページ目）が存在しないことが確定される。すなわち、原稿確定待ち後、最終原稿が確定しなくても給紙するできるモードであり（ステップＳ１３０１）、次原稿が存在しないので（ステップＳ１３０４）、両面裏面原稿待ちの紙が存在するか否かを判定する（ステップＳ１３０７）。ここで、両面裏面原稿待ちの紙は存在しないので、何もせずに、処理を終了する（ステップＳ１３０８）。
【０１１６】
次に、最終原稿が未確定でも給紙することができるモードにおいて片面印字を行う原稿が１ページの場合について図２１を参照しながら説明する。
【０１１７】
この場合、原稿確定待ち後、最終原稿が確定しなくても給紙できるモードであると判定される（ステップＳ１３０１）。そして、次原稿（今回の原稿つまり１ページ目）が存在するので（ステップＳ１３０４）、両面裏面原稿待ちの紙が存在するかをチェックするが（ステップＳ１３０５）、ここでは、まだ原稿１ページ目すなわち最初のチェックであるため、まだ両面裏面原稿待ちに紙は存在しない。よって、今回確定した原稿が両面印字を行うかを判別するが（ステップＳ１３０６）、片面印字を行う予定であるので、今回の原稿を片面印字として給紙スケジューリングに登録する（ステップＳ１３１０）。その状態は、図２１に示す状態である。
【０１１８】
次に、原稿が１ページであるため、次原稿（２ページ目）が存在しないことが確定される。すなわち、原稿確定待ち後、最終原稿が確定しなくても給紙することができるモードであると判定され（ステップＳ１３０１）、次原稿が存在しないことから（ステップＳ１３０４）、両面裏面原稿待ちの紙が存在するか否かの判定が行われる（ステップＳ１３０３）。ここでは、両面裏面原稿待ちの紙は存在しないので、何もせずに本処理を終了する（ステップＳ１３０８）。
【０１１９】
次に、最終原稿が確定しないと給紙ですることができないモードにおいて、片面印字、両面印字に拘らず原稿が１ページの場合について図２２および図２３を参照しながら説明する。
【０１２０】
この場合、まず原稿確定待ち後、最終原稿が確定しないと給紙することができないモードか否かの判定が行われる（ステップＳ１３０１）。ここでは、最終原稿が確定しないと給紙することができないモードであり、次原稿（今回の原稿すなわち１ページ目）が存在するので（ステップＳ１３５１）、次原稿待ち１１０２に原稿が存在するかをチェックする（ステップＳ１３５６）。ここでは、まだ原稿１ページ目すなわち最初のチェックであるため、まだ次原稿待ち１１０２に原稿は存在しない。よって、今回の原稿（１ページ目）を次原稿待ち１１０２に登録し（ステップＳ１３６３）、次の原稿確定まで待つ。この状態は、図２２に示すように、原稿１６０１が次原稿待ち１１０２に登録された状態である。
【０１２１】
次に、原稿が１ページであるため次原稿が存在しないことが確定する。すなわち、原稿確定待ち後、最終原稿が確定しないと給紙することができないモードであり（ステップＳ１３０１）、次原稿（２ページ目）が存在し（ステップＳ１３５１）、かつ次原稿待ちの原稿１６０１が存在するので（ステップＳ１３５２）、次原稿待ちに登録されている原稿１６０１が最終原稿であることが確定される（ステップＳ１３５３）。そして、両面裏面原稿待ちの紙が存在するか否かをチェックする（ステップＳ１３５７）が、ここでは、原稿が１ページのみなので、両面裏面原稿待ちの紙は存在しない。よって、次原稿待ちの原稿が片面（裏が白紙）の状態の紙として給紙スケジューリングに登録され（ステップＳ１３６６）、本処理は終了する。この状態は、図２３に示すように、給紙スケジューリング１１０１に紙１６０２が登録された状態となり、この紙１６０２が最終紙として給紙される。
【０１２２】
次に、最終原稿が確定しないと給紙することができないモードにおいて両面印字をする原稿が２ページの場合について図２４ないし図２６を参照しながら説明する。
【０１２３】
ここでは、図２４に示すように、既に１ページ目の原稿が確定されているとして、原稿２ページ目の確定時の説明を行う。なお、図２４に示す状態は、図２２に示す状態と同様に、原稿１７０１（１ページ目）が次原稿待ち１１０２に登録された状態である。
【０１２４】
２ページ目の原稿を確定する際には、原稿確定待ち後、最終原稿が確定しないと給紙することができないモードであり（ステップＳ１３０１）、次原稿（今回の原稿すなわち２ページ目）が存在するので（ステップＳ１３５１）、次原稿待ち１１０２に原稿が存在するか否かをチェックする（ステップＳ１３５６）。ここでは、図２３に示すように、次原稿待ち１１０２に登録されている原稿（１ページ目）１７０１が存在するので、両面裏面原稿待ちの紙が存在するかをチェックする（ステップＳ１３５５）。ここでは、まだ両面裏面原稿待ちの紙が存在せず、かつ次原稿待ちの原稿（１ページ目）１７０１が両面印字を行うものであるので（ステップＳ１３５４）、次原稿待ちの原稿（１ページ目）１７０１を両面裏面原稿待ちの紙に登録し（ステップＳ１３５９）、次原稿（２ページ目）を次原稿待ち１１０２に登録する（ステップＳ１３６３）。この状態は、図２５に示すように、両面裏面原稿待ち１１００に紙（１ページ目）１７０２が登録され、次原稿待ち１１０１に原稿（２ページ目）１７０３が登録された状態である。
【０１２５】
次に、原稿が２ページであるため、次原稿が存在しないことが確定される。すなわち、原稿確定待ち後、最終原稿が確定しないと給紙することができないモードであり（ステップＳ１３０１）、次原稿（３ページ目）が存在せず（ステップＳ１３５１）、次原稿待ちの原稿（２ページ目）１７０３が存在する（ステップＳ１３５２）と判定されるので、次原稿待ち１１０２に登録されている原稿１７０３（２ページ目）が最終原稿であることが確定される。そして、両面裏面原稿待ちの紙１７０２が存在するので（ステップＳ１３５７）、次原稿待ちの原稿（２ページ目）１７０３が両面裏面原稿待ちの紙１７０２に登録され（ステップＳ１３６１）、両面の原稿が確定した両面裏面原稿待ちの紙１７０２を最終紙として給紙スケジューリングに登録され、給紙が開始される（ステップＳ１３６６）。この状態は、図２６に示すように、最終紙として確定した紙１７０４が給紙スケージュリング１１０１に登録された状態である。
【０１２６】
次に、最終原稿が確定しないと給紙することができないモードにおいて両面印字をする原稿が３ページの場合について図２７ないし図２９を参照しながら説明する。
【０１２７】
ここでは、図２７に示すように、既に２ページ目の原稿が確定されているとして、３ページ目の原稿の確定時についての説明を行う。この図２７に示す状態においては、原稿１８０２（２ページ目）が次原稿待ち１１０２に登録され、両面裏面原稿待ち１１００に紙（１ページ目）１８０１が登録されている。
【０１２８】
３ページ目の原稿を確定する際には、原稿確定待ち後、まず最終原稿が確定しないと給紙することができないモードであるか否かを判定する（ステップＳ１３０１）。ここでは、最終原稿が確定しないと給紙することができないモードであり、また、次原稿（今回の原稿すなわち３ページ目）が存在し（ステップＳ１３５１）、次原稿待ち１１０２に登録されている原稿１８０２（２ページ目）が存在する（ステップＳ１３５２）ので、両面裏面原稿待ちの紙が存在するか否かの判定が行われる（ステップＳ１３５５）。ここでは、両面裏面原稿待ち１１００に紙１８０１が存在するので、次原稿待ちの原稿（２ページ目）１８０２が両面裏面原稿待ちの紙１８０１に登録される（ステップＳ１３６０）。これにより、両面裏面原稿待ちの紙１８０１の裏面原稿も確定したので、図２８に示すように、両面裏面原稿待ちの紙１８０１が紙１８０３として給紙スケジューリング１１０１に登録され（ステップＳ１３６２）、次原稿（３ページ目）が次原稿待ち１１０２に登録される（ステップＳ１３６３）。この状態は、図２９に示すように、給紙スケジューリング１１０１に紙１８０３が登録され、次原稿待ち１１０１に原稿（３ページ目）１８０４が登録される。
【０１２９】
次に、原稿が３ページであるため、次原稿が存在しないことが確定される。すなわち、原稿確定待ち後、最終原稿が確定しないと給紙することができないモードである（ステップＳ１３０１）、次原稿（４ページ目）が存在しない（ステップＳ１３５１）、次原稿待ちの原稿１８０４が存在する（ステップＳ１３５２）と判定されるので、次原稿待ちに登録されている原稿１８０４が最終原稿であることが確定される（ステップＳ１３５３）。そして、両面裏面原稿待ちの紙が存在するか否かの判定が行われる（ステップＳ１３５７）。ここでは、図２８に示すように、両面裏面原稿待ちの紙が存在しない。よって、次原稿待ちの原稿が片面（裏が白紙）の状態の紙として給紙スケジューリングに登録され（ステップＳ１３６５）、本処理は終了する。この状態は、図２９に示すように、給紙スケジューリング１１０１に紙１８０５が最終紙として登録される。
【０１３０】
次に、最終原稿が確定しないと給紙を行うことができないモード、最終原稿が未確定でも給紙を行うことができるモードを、制御装置１１０に設定するためのユーザインターフェースについて図３０ないし図３５を参照しながら説明する。図３０は図３の操作部における標準画面を示す図、図３１は図３０の標準画面上でソート２２０２ボタンを選択したときに現れるダイアログ画面を示す図、図３２は図３０の標準画面上で応用モード２２０１ボタンを選択したときに現れるダイアログ画面を示す図、図３３は図３２の画面上で表紙／合紙２３０１を選択したときに現れるダイアログ画面を示す図、図３４は図３３の画面上で裏表紙ボタン２４０１を選択したときに現れるダイアログ画面を示す図、図３５は図３３の画面上でボタン２４０２を選択したときに現れるダイアログ画面を示す図である。
【０１３１】
ユーザがフィニッシング（ステイプル、またはシフトなど）を行う場合には、図３０に示す標準画面上で、ソートボタン２２０２が選択される。これにより、それらの設定を行うことが可能になる。また、最終原稿に対する紙を、指定した給紙段から給紙するように設定する際には、応用モード２２０１ボタンが選択される。これにより、最終原稿に対する紙を指定した給紙段から給紙する設定を行うことが可能になる。また、応用モード２２０１を選択することにより、通常は使用しないモードをユーザが選択可能になる。
【０１３２】
ここで、上記ソート２２０２ボタンが選択されると、図３１に示すダイアログ画面が表示される。このダイアログ画面から、ユーザは出力される紙束のフィニッシングを選択することができる。例えば、出力した紙束をステイプルソートする場合には、上記ダイアログ画面上で、ステイプルボタン２１０２を選択し、シフトソートを行う場合にはシフトボタン２１０１を選択すればよい。
【０１３３】
これに対し、応用モード２２０１ボタンが選択されると、図３２に示すダイアログ画面が表示される。このダイアログ画面からは、通常ユーザが使用しないと思われるモードを選択することが可能となる。このように通常使用しないモードを選択するための画面を別ダイアログ画面にすることによって、通常の画面を簡素化することができ、ユーザの使い勝手が向上される。最終原稿に対する紙を指定した給紙段から給紙する設定を行う場合には、ユーザにより表紙／合紙２３０１ボタンが選択される。
【０１３４】
上記表紙／合紙２３０１が選択されると、図３３に示すダイアログ画面が表示される。このダイアログ画面からは、表紙（先頭原稿に対する紙、または先頭原稿前に白紙で挿入する紙）、合紙（ユーザーが任意に指定した原稿に対する紙、またはユーザーが任意に指定した原稿前に白紙で挿入する紙）、裏表紙（最終原稿をに対する紙、または最終原稿後に白紙で挿入する紙）のいずれを使用するかを選択することが可能となる。ユーザは最終原稿に対する紙を指定した給紙段から給紙させるためには、裏表紙２４０１ボタンを選択し、どの給紙段から給紙を行うかをボタン２４０２で選択することが可能である。
【０１３５】
上記ダイアログ画面上で裏表紙ボタン２４０１が選択されると、図３４に示すダイアログ画面が表示され、このダイアログ画面からは、表紙（先頭原稿に対する紙、または先頭原稿前に白紙で挿入する紙）、合紙（ユーザが任意に指定した原稿に対する紙、またはユーザーが任意に指定した原稿前に白紙で挿入する紙）、裏表紙（最終原稿に対する紙、または最終原稿後に白紙で挿入する紙）の印字面をどのように設定するかを選択することが可能である。ここでは、コピーをしない（白紙で挿入する）２５０１、表にコピーする２５０２、裏にコピーする２５０３、両面にコピーをする２５０４のいずれかを選択することができ、例えば両面コピーを行う場合には、両面にコピーする２５０４を選択する。このボタンを選択することにより、最終原稿に対する紙を両面コピーに設定し、画面は図３３に示す画面に戻る。
【０１３６】
次に、最終原稿に対する紙を任意の給紙段から給紙させるように設定する場合、ユーザによりボタン２４０２が選択される。このボタン２４０２が選択されると、図３５に示すダイアログ画面が表示される。このダイアログ画面からは、ユーザが裏表紙（最終原稿に対する紙）となる紙をどの給紙段から給紙するかを選択することが可能となる。ここでは、１段目にはＡ４色紙が、２段目にはＡ４再生紙が、３段目にはＡ５普通紙が、４段目にはＡ３普通紙が、５段目にはＡ４普通紙がそれぞれセットされているとする。そして、例えば、ユーザが裏表紙を色紙で印刷する場合には、その給紙段として１段目を選択することにより、最終原稿に対する紙を１段目の色紙で印字することができる。
【０１３７】
このように、本実施の形態では、フィニッシング処理を行わないモード、裏表紙を行わないモード、グループソートモードに対しては、原稿有無の判断のタイミングで給紙を行うので、従来の給紙タイミングに比して給紙タイミングを早めることができ、出力モードに応じてその出力結果を最短で得ることができる。
【０１３８】
なお、本発明は、前述した実施形態の機能（図１３および図１４に示すフロー）を実現するソフトウェアのプログラムコードを記録した記憶媒体を、システムあるいは装置に供給し、そのシステムあるいは装置のコンピュータ（ＣＰＵやＭＰＵ）が記憶媒体に格納されたプログラムコードを読み出し実行することによっても達成され得る。
【０１３９】
この場合、記憶媒体から読み出されたプログラムコード自体が前述した実施形態の機能を実現することになり、そのプログラムコードを記憶した記憶媒体は本発明を構成することになる。
【０１４０】
プログラムコードを供給するための記憶媒体としては、例えば、フロッピディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭなどを用いることができる。
【０１４１】
【発明の効果】
以上説明したように、請求項１記載の本発明によれば、フィニッシング処理が不要なジョブの印刷開始のタイミングを、フィニッシング処理を要するジョブの印刷開始のタイミングよりも早めることができ、請求項３記載の本発明によれば、裏表紙の挿入が不要なジョブの印刷開始のタイミングを、裏表紙の挿入を要するジョブの印刷開始のタイミングよりも早めることができる。
【図面の簡単な説明】
【図１】本発明の実施の一形態に係る画像入出力システムの全体構成を示すブロック図である。
【図２】図１の画像入出力システムにおけるリーダ装置およびプリンタ装置の構成を示す断面図である。
【図３】図１の画像入出力システムの操作部を示す図である。
【図４】図１の画像入出力システムにおける制御装置の構成を示すブロック図である。
【図５】図４のメインコントローラの構成を示すブロック図である。
【図６】図５のシステムバスブリッジの詳細構成を示すブロック図である。
【図７】図５のスキャナ・プリンタコントローラの詳細構成を示すブロック図である。
【図８】（ａ）は図１の画像入力システムのプリンタ装置３００におけるシートの搬送経路を模式的に示す図、（ｂ）は表面排紙モードによる片面画像形成のシートの搬送経路を模式的に示す図、（ｃ）は背面排紙モードによる片面画像形成のシートの搬送経路を模式的に示す図である。
【図９】両面画像形成のシートを搬送する搬送経路を模式的に示す図である。
【図１０】図１の画像入出力システムの制御装置に保持される原稿のデータ構造を示す図である。
【図１１】図１の画像入出力システムの制御装置に保持されるシートのデータ構造を示す図である。
【図１２】図１の画像入出力システムの制御装置による給紙スケジューリングを管理するデータ構造を示す図である。
【図１３】図１の画像入出力システムにおける給紙制御の手順を示すフローチャートである。
【図１４】図１の画像入出力システムにおける給紙制御の手順を示すフローチャートである。
【図１５】図１の画像入出力システムにおける給紙制御の手順を示すフローチャートである。
【図１６】最終原稿が未確定でも給紙することができるモードにおいて両面印字を行う原稿が１ページの場合の説明図である。
【図１７】最終原稿が未確定でも給紙することができるモードにおいて両面印字を行う原稿が１ページの場合の説明図である。
【図１８】最終原稿が未確定でも給紙することができるモードにおいて両面印字を行う原稿が２ページの場合の説明図である。
【図１９】最終原稿が未確定でも給紙することができるモードにおいて両面印字を行う原稿が２ページの場合の説明図である。
【図２０】最終原稿が未確定でも給紙することができるモードにおいて両面印字を行う原稿が２ページの場合の説明図である。
【図２１】最終原稿が未確定でも給紙することができるモードにおいて片面印字を行う原稿が１ページの場合の説明図である。
【図２２】最終原稿が確定しないと給紙することができないモードにおいて片面印字両面印字に拘らず原稿が１ページの場合の説明図である。
【図２３】最終原稿が確定しないと給紙することができないモードにおいて両面印字をする原稿が２ページの場合の説明図である。
【図２４】最終原稿が確定しないと給紙することができないモードにおいて両面印字をする原稿が２ページの場合の説明図である。
【図２５】最終原稿が確定しないと給紙することができないモードにおいて両面印字をする原稿が２ページの場合の説明図である。
【図２６】最終原稿が確定しないと給紙することができないモードにおいて両面印字をする原稿が２ページの場合の説明図である。
【図２７】最終原稿が確定しないと給紙することができないモードにおいて両面印字をする原稿が３ページの場合の説明図である。
【図２８】最終原稿が確定しないと給紙することができないモードにおいて両面印字をする原稿が３ページの場合の説明図である。
【図２９】最終原稿が確定しないと給紙することができないモードにおいて両面印字をする原稿が３ページの場合の説明図である。
【図３０】図３の操作部における標準画面を示す図である。
【図３１】図３０の標準画面上でソート２２０２ボタンを選択したときに現れるダイアログ画面を示す図である。
【図３２】図３０の標準画面上で応用モード２２０１ボタンを選択したときに現れるダイアログ画面を示す図である。
【図３３】図３２の画面上で表紙／合紙２３０１を選択したときに現れるダイアログ画面を示す図である。
【図３４】図３３の画面上で裏表紙ボタン２４０１を選択したときに現れるダイアログ画面を示す図である。
【図３５】図３３の画面上でボタン２４０２を選択したときに現れるダイアログ画面を示す図である。
【符号の説明】
１００  画像入出力システム
１１０  制御装置
１５０  操作部
２００  リーダ装置
２３０  センサ
２５０  原稿給紙ユニット
３００  プリンタ装置
３１０  給紙ユニット
３３０  排紙ユニット
３２３  感光ドラム
３２５  定着部
３３１  搬送路
３３２  再給紙搬送路
３３３  搬送路
３３５  搬送路
３３６  搬送路
３３８  搬送路
４０１  プロセッサコア
５００  フィニッシャユニット
４００１，４００２  ホストコンピュータ
【図１】
0004086473.tif 000002
【図２】
0004086473.tif 000003
【図３】
0004086473.tif 000004
【図４】
0004086473.tif 000005
【図５】
0004086473.tif 000006
【図６】
0004086473.tif 000007
【図７】
0004086473.tif 000008
【図８】
0004086473.tif 000009
【図９】
0004086473.tif 000010
【図１０】
0004086473.tif 000011
【図１１】
0004086473.tif 000012
【図１２】
0004086473.tif 000013
【図１３】
0004086473.tif 000014
【図１４】
0004086473.tif 000015
【図１５】
0004086473.tif 000016
【図１６】
0004086473.tif 000017
【図１７】
0004086473.tif 000018
【図１８】
0004086473.tif 000019
【図１９】
0004086473.tif 000020
【図２０】
0004086473.tif 000021
【図２１】
0004086473.tif 000022
【図２２】
0004086473.tif 000023
【図２３】
0004086473.tif 000024
【図２４】
0004086473.tif 000025
【図２５】
0004086473.tif 000026
【図２６】
0004086473.tif 000027
【図２７】
0004086473.tif 000028
【図２８】
0004086473.tif 000029
【図２９】
0004086473.tif 000030
【図３０】
0004086473.tif 000031
【図３１】
0004086473.tif 000032
【図３２】
0004086473.tif 000033
【図３３】
0004086473.tif 000034
【図３４】
0004086473.tif 000035
【図３５】
0004086473.tif 000036